(57)【要約】【課題】レイヤー毎の可視化設定を簡素化可能なプリンタを提供する。【解決手段】プリンタにおいて、注目レイヤーを可視化した場合に構成される第１の画像と、注目レイヤー及び注目レイヤーよりも下層に位置する下層レイヤーのみを可視化した場合に構成される第２の画像との間に差分が生じる場合、決定部は、ユーザーが選択可能なレイヤーの組み合わせに関する選択肢を、第１の画像に対応する選択肢及び第２の画像に対応する選択肢のうちのいずれか一方に決定する。決定部によって決定された選択肢に対応する印刷項目の中からいずれかを選択する操作が行われたら、印刷部は、印刷項目に対応するレイヤーが組み合わせられた画像を印刷する。【選択図】図２
2020104417.tif 000002
【特許請求の範囲】
【請求項１】
それぞれに画像が描かれる複数のレイヤーを有し、前記レイヤー毎に可視化するか否かを設定可能に構成されたファイルを印刷対象として印刷処理を実行可能に構成されたプリンタであって、
前記複数のレイヤーのうち、最下層に位置するレイヤー以外の１以上のレイヤーの中から選択される１つのレイヤーを注目レイヤー、当該注目レイヤーよりも下層に位置する少なくとも１つのレイヤーを下層レイヤーとして、前記注目レイヤーを可視化した場合に構成される第１の画像と、前記注目レイヤー及び前記下層レイヤーのみを可視化した場合に構成される第２の画像との間に、差分が生じるか否かを判断する判断部と、
前記判断部の判断結果に基づいて、ユーザーが選択可能な前記レイヤーの組み合わせに関する選択肢を決定する決定部と、
前記決定部によって決定された前記選択肢に対応する印刷項目を表示する表示部と、
前記表示部に表示された前記印刷項目の中からいずれかを選択する操作が行われたら、当該操作を受け付ける操作部と、
前記操作部での操作によって選択された前記印刷項目に基づき、当該印刷項目に対応する前記レイヤーが組み合わせられた画像を印刷する印刷部と、
を備え、
前記決定部は、前記判断部によって前記第１の画像と前記第２の画像との間に差分が生じないと判断された場合には、ユーザーが選択可能な前記レイヤーの組み合わせに関する選択肢を、前記第１の画像に対応する選択肢及び前記第２の画像に対応する選択肢のうちのいずれか一方に決定するように構成されている
プリンタ。
【請求項２】
請求項１に記載のプリンタであって、
前記決定部は、前記判断部によって前記第１の画像と前記第２の画像との間に差分が生じると判断された場合には、ユーザーが選択可能な前記レイヤーの組み合わせに関する選択肢を、前記第１の画像に対応する選択肢及び前記第２の画像に対応する選択肢に決定するように構成されている
プリンタ。
【請求項３】
請求項１又は請求項２に記載のプリンタであって、
前記複数のレイヤーには、元画像が描かれた元画像レイヤー、及び当該元画像に対して画像処理が施されてなる処理画像が描かれた処理画像レイヤーが含まれており、
前記表示部は、前記元画像である旨を示す前記印刷項目、及び前記画像処理の内容を示す前記印刷項目を表示するように構成されている
プリンタ。
【請求項４】
請求項３に記載のプリンタであって、
前記印刷部において画像を印刷する前に、当該画像に対して画像処理を施す画像処理部を備え、
前記表示部は、前記画像処理部において実行可能な前記画像処理の内容を示す処理項目を表示可能に構成され、前記処理項目に対応する前記画像処理と前記印刷項目に対応する前記画像処理とが重複する場合には、前記処理項目を表示しないように構成されている
プリンタ。
【請求項５】
請求項３に記載のプリンタであって、
前記印刷部において画像を印刷する前に、当該画像に対して画像処理を施す画像処理部を備え、
前記表示部は、前記画像処理部において実行可能な前記画像処理の内容を示す処理項目を表示可能に構成され、前記処理項目に対応する前記画像処理と前記印刷項目に対応する前記画像処理とが重複する場合には、前記印刷項目を表示しないように構成されている
プリンタ。
【発明の詳細な説明】
【技術分野】
【０００１】
本開示は、プリンタに関する。
【背景技術】
【０００２】
ＰＤＦファイルにはレイヤーを設定することができる。ＰＤＦはPortable Document Formatの略称である。レイヤー付きＰＤＦファイルは、ビューアーで表示する際に、各レイヤーの表示／非表示をレイヤー毎に切り替えることができる。また、各レイヤーは印刷可否に関する設定を持っており、「常に印刷する」、「常に印刷しない」、「表示時に印刷する」の３設定から選択できる。
【０００３】
レイヤー付きＰＤＦファイルの利用例として、例えば下記特許文献１には、描画レイヤーと閲覧用文書データとをそれぞれ表示と非表示とを切り替え可能な状態で重ねて１つのファイルとして生成する技術が開示されている。
【先行技術文献】
【特許文献】
【０００４】
【特許文献１】特開２０１５−１５８７２６号公報
【発明の概要】
【発明が解決しようとする課題】
【０００５】
上述のようなレイヤー毎の表示設定及び印刷設定が可能な場合、上層レイヤーを可視化する設定を行うと、上層レイヤーよりも下層にある下層レイヤーについては、可視化するか否かの設定にかかわらず、上層レイヤーに隠れて見えない場合がある。例えば、上層レイヤーが不透明なレイヤーであり、かつ、下層レイヤーが上層レイヤーからはみ出さないサイズである場合、下層レイヤーを可視化しても、下層レイヤーは上層レイヤーに隠れて見えなくなる。
【０００６】
しかし、レイヤー毎の表示設定及び印刷設定が可能な場合、上層レイヤーを可視化すると上層レイヤーに隠れて見えない下層レイヤーであっても、可視化するか否かの設定が可能である。そのため、可視化するか否かの設定を変更しても同一画像しか印刷されない場合であっても、可視化するか否かの設定が可能となるので、ユーザーにとっては煩わしい選択肢が増えることになる。
【０００７】
また、可視化するか否かの設定を変更しても同一画像しか印刷されないということを認識していないユーザーにとっては、可視化するか否かの設定により、印刷画像のどこが変わるのかがわからないまま選択を強いられることになる。あるいは、可視化するか否かの設定を変更して双方の画像をプレビュー又は印刷して見比べないと、印刷画像のどこが変わるのかがわからない。更に言えば、可視化するか否かの設定を変更して双方の画像をプレビュー又は印刷して見比べても２つの印刷画像に差分があるのか否かを判断できないこともある。
【０００８】
本開示の一局面においては、レイヤー毎の可視化設定を簡素化可能なプリンタを提供することが望ましい。
【課題を解決するための手段】
【０００９】
本開示の一態様は、それぞれに画像が描かれる複数のレイヤーを有し、レイヤー毎に可視化するか否かを設定可能に構成されたファイルを印刷対象として印刷処理を実行可能に構成されたプリンタであって、判断部と、決定部と、表示部と、操作部と、印刷部と、を備える。判断部は、複数のレイヤーのうち、最下層に位置するレイヤー以外の１以上のレイヤーの中から選択される１つのレイヤーを注目レイヤー、当該注目レイヤーよりも下層に位置する少なくとも１つのレイヤーを下層レイヤーとして、注目レイヤーを可視化した場合に構成される第１の画像と、注目レイヤー及び下層レイヤーのみを可視化した場合に構成される第２の画像との間に、差分が生じるか否かを判断する。決定部は、判断部の判断結果に基づいて、ユーザーが選択可能なレイヤーの組み合わせに関する選択肢を決定する。表示部は、決定部によって決定された選択肢に対応する印刷項目を表示する。操作部は、表示部に表示された印刷項目の中からいずれかを選択する操作が行われたら、当該操作を受け付ける。印刷部は、操作部での操作によって選択された印刷項目に基づき、当該印刷項目に対応するレイヤーが組み合わせられた画像を印刷する。決定部は、判断部によって第１の画像と第２の画像との間に差分が生じないと判断された場合には、ユーザーが選択可能なレイヤーの組み合わせに関する選択肢を、第１の画像に対応する選択肢及び第２の画像に対応する選択肢のうちのいずれか一方に決定するように構成されている。
【００１０】
このように構成されたプリンタによれば、注目レイヤーを可視化した場合に構成される第１の画像と、注目レイヤー及び下層レイヤーを可視化した場合に構成される第２の画像との間に差分が生じない場合には、ユーザーが選択可能な前記レイヤーの組み合わせに関する選択肢が、第１の画像に対応する選択肢及び第２の画像に対応する選択肢のうちのいずれか一方に決定されて、当該選択肢に対応する印刷項目が表示部に表示される。したがって、複数の選択肢を選択し得るにもかかわらず、どの選択肢を選択しても同一の画像が印刷されるプリンタとは異なり、ユーザーが操作部で選択し得る印刷項目の数を削減でき、選択操作における利便性を高めることができる。
【図面の簡単な説明】
【００１１】
【図１】図１は複合機及びその周辺機器の構成を示すブロック図である。
【図２】図２はレイヤー付きＰＤＦファイルの作成及び印刷に関する第１の例を説明するための説明図である。
【図３】図３はレイヤー付きＰＤＦファイルの作成及び印刷に関する第２の例を説明するための説明図である。
【図４】図４は第１実施形態における印刷処理のフローチャートである。
【図５】図５は第１実施形態におけるレイヤー選択項目生成処理のフローチャートである。
【図６】図６は第２実施形態におけるレイヤー選択項目生成処理のフローチャートである。
【図７】図７（Ａ）は第１実施形態における詳細設定画面の表示例を示す説明図である。図７（Ｂ）は第１実施形態における機能選択画面の表示例を示す説明図である。図７（Ｃ）は第２実施形態における機能選択画面の表示例を示す説明図である。
【図８】図８はレイヤー付きＰＤＦファイルの作成及び印刷に関する第３の例を説明するための説明図である。
【図９】図９（Ａ）は第３実施形態における機能選択画面の表示例を示す説明図である。図９（Ｂ）は第３実施形態におけるカラー設定画面の表示例を示す説明図である。
【図１０】図１０（Ａ）は第４実施形態における機能選択画面の表示例を示す説明図である。図１０（Ｂ）は第４実施形態におけるカラー設定画面の表示例を示す説明図である。図１０（Ｃ）は第５実施形態におけるカラー設定／機能選択画面の表示例を示す説明図である。
【発明を実施するための形態】
【００１２】
次に、上述のプリンタについて、例示的な実施形態を挙げて説明する。
（１）第１実施形態
［複合機の構成］
以下に例示するのは、図１に示すように、本開示のプリンタの一例としての構成を備えた複合機１である。複合機１は、制御部１１、操作部１２、表示部１３、印刷部１４、読取部１５、有線ＬＡＮ  Ｉ／Ｆ部１６、ＵＳＢ  Ｉ／Ｆ部１７及び無線ＬＡＮ  Ｉ／Ｆ部１８等を備える。制御部１１は、ＣＰＵ１１１、ＲＯＭ１１２、ＲＡＭ１１３及びＮＶＲＡＭ（Non Volatile RAM）１１４等を備える。ＣＰＵ１１１は、ＲＯＭ１１２やＲＡＭ１１３に記憶された制御プログラムに従って所定の処理を実行し、これにより、複合機１の各部が制御される。
【００１３】
操作部１２は、タッチパネル及び各種スイッチ類等を備える。表示部１３は、液晶ディスプレイ及び各種ランプ類等を備える。操作部１２が備えるタッチパネルは、表示部１３が備える液晶ディスプレイの表面に重ねて配置されている。液晶ディスプレイには、タッチパネルでの操作に必要なボタン類の画像などが表示され、そのような画像に対するタッチ操作が行われたことを、タッチパネルで検出可能に構成されている。また、液晶ディスプレイには、複合機１に関する情報が表示される。
【００１４】
印刷部１４は、本実施形態の場合、シート状の被記録媒体に対してインクジェット方式で画像を形成可能に構成されている。ただし、印刷部１４は、インクジェット方式以外の周知の記録方式（例えば、電子写真方式等。）で画像を形成可能に構成されていてもよい。
【００１５】
読取部１５は、一方向に配列された読取素子を有する一次元イメージセンサを備える。読取部１５は、イメージセンサの読取素子の配列方向（主走査方向）に直交する方向（副走査方向）へイメージセンサを移動させて、透明な原稿台の上に載置された原稿の画像を読み取り可能に構成されている。また、読取部１５は、ＡＤＦ（Automatic Document Feeder；自動原稿送り装置）によって搬送される原稿の画像を読み取り可能に構成されている。
【００１６】
有線ＬＡＮ  Ｉ／Ｆ部１６は、有線ＬＡＮ（Local Area Network）規格に準拠した通信インターフェース装置によって構成される。複合機１は、有線ＬＡＮ  Ｉ／Ｆ部１６を介して、有線ＬＡＮに接続されたネットワーク機器（例えば、図１に例示するＰＣ（Personal Computer）２１。）と通信することができる。
【００１７】
ＵＳＢ  Ｉ／Ｆ部１７は、ＵＳＢ（Universal Serial Bus）規格に準拠した通信インターフェース装置によって構成される。ＵＳＢ  Ｉ／Ｆ部１７には、ＵＳＢ規格に準拠した各種デバイス（例えば、図１に例示するＵＳＢメモリ３１等。）を接続することができる。
【００１８】
無線ＬＡＮ  Ｉ／Ｆ部１８は、無線ＬＡＮ規格に準拠した通信インターフェース装置によって構成される。複合機１は、無線ＬＡＮ  Ｉ／Ｆ部１８を介して、無線ＬＡＮに対応したネットワーク機器（例えば、図１に例示するモバイル端末４１。）と通信することができる。
【００１９】
なお、複合機１は、図１に示した構成以外にも様々な構成を備えているが、本開示の要部に関連しない構成については、図示及び説明を省略する。
［印刷対象とされるファイルの構造］
次に、本実施形態において印刷対象とされるファイルの構造について説明する。本実施形態において印刷対象とされるファイルは、それぞれに画像が描かれる複数のレイヤーを有し、レイヤー毎に可視化するか否かを設定可能に構成されている。ここでいう可視化するか否かの設定とは、表示の場合であれば表示するか否かの設定であり、印刷の場合であれば印刷するか否かの設定である。
【００２０】
このようなレイヤー毎の可視化設定が可能なファイルの一例としては、例えば、ＰＤＦファイルを挙げることができる。ＰＤＦはPortable Document Formatの略称である。ＰＤＦには「Optional Content」という規格があり、当該規格に準拠して複数の画像それぞれをレイヤーに格納して一つのファイル（以下、レイヤー付きＰＤＦファイルとも称する。）として保存することができる。
【００２１】
レイヤー付きＰＤＦファイルは、レイヤー毎の表示設定を有し、各レイヤーの表示／非表示をレイヤー毎に切り替えることができる。また、レイヤー付きＰＤＦファイルは、レイヤー毎の印刷設定を有し、各レイヤーの印刷設定を「常に印刷する」、「常に印刷しない」、「表示時に印刷する」の３設定から選択できる。したがって、印刷時の場合であれば、印刷設定が「常に印刷する」となっているレイヤーと、表示設定が「表示」かつ印刷設定が「表示時に印刷する」となっているレイヤーが、可視化されるレイヤーに該当し、これらのレイヤーが印刷される。
【００２２】
レイヤー数ｎのファイルにおいて、レイヤー毎に印刷するか否かが設定できる場合、その設定の組み合わせの総数は２のｎ乗通りになる。ただし、例えば、ファイルに含まれる複数のレイヤーが不透明で、かつ複数のレイヤーが完全に重なるような場合には、印刷する設定とされたレイヤーの中で最も上層にある最上層レイヤーが印刷される。このとき、最上層レイヤーよりも下層にある下層レイヤーは、印刷設定がどのようになっていても、印刷結果に影響を与えない。換言すれば、下層レイヤーを印刷するか否かの印刷設定は、無意味な設定となる。このような無意味な設定を除外すると、異なる印刷物として印刷可能なレイヤーの組み合わせは、レイヤー数ｎと同数のｎ通りとなる。本実施形態の複合機１では、後述する印刷処理が実行されることにより、異なる印刷物として印刷可能なレイヤーの組み合わせを、ユーザーが簡単に選択することができる。
【００２３】
また、本実施形態の場合、印刷対象とされるレイヤー付きＰＤＦファイルとしては、元画像と元画像に対して画像処理が施された画像とを含む複数の画像それぞれが、複数のレイヤーそれぞれに格納されたファイルを想定している。画像処理が施された画像は、１つの画像であってもよいし、異なる画像処理が施された２つ以上の画像であってもよい。２つ以上の画像の場合は、２つ以上の画像それぞれが別のレイヤーに格納される。
【００２４】
このようなレイヤー付きＰＤＦファイルは、以下のような画像読取機能、画像処理機能及びファイル作成機能を備えたイメージスキャナ装置（例えば複合機１。）によって作成することができる。ここでいう画像読取機能は、原稿から元画像を読み取る機能である。画像処理機能は、元画像に対して１以上の画像処理を施す機能である。ファイル作成機能は、元画像と元画像に対して画像処理が施された画像とを含む複数の画像それぞれが複数のレイヤーそれぞれに格納されたレイヤー付きＰＤＦファイルを作成する機能である。
【００２５】
上述のようなレイヤー付きＰＤＦファイルの作成及び印刷に関する第１の例を、図２に示す。以下、複合機１でレイヤー付きＰＤＦファイルを作成し、そのレイヤー付きＰＤＦファイルを複合機１で印刷する場合を想定して説明を続ける。複合機１でレイヤー付きＰＤＦファイルを作成する際、複合機１は、原稿Ａ１を読取部１５によって読み取り、元画像Ｂ１を取得する。
【００２６】
また、複合機１は、原稿Ａ１から元画像Ｂ１を読み取る際、制御部１１において元画像Ｂ１に対する画像処理を施す。図２に示す例では、地色除去画像Ｂ２、カラードロップ画像Ｂ３ａ、トーン調整画像Ｂ４、以上３種の画像を例示してある。地色除去画像Ｂ２は、元画像Ｂ１の背景に相当する領域の色を元画像Ｂ１から除去した画像である。カラードロップ画像Ｂ３ａは、ユーザーが指定した特定の色を元画像Ｂ１から除去した画像である。トーン調整画像Ｂ４は元画像Ｂ１の明度や彩度を変更した画像である。
【００２７】
複合機１は、これら４種の画像Ｂ１、Ｂ２、Ｂ３ａ、Ｂ４それぞれが格納された４つのレイヤーＣ１、Ｃ２、Ｃ３ａ、Ｃ４を有するＰＤＦファイルを作成する。４つのレイヤーＣ１、Ｃ２、Ｃ３ａ、Ｃ４は、レイヤー毎に印刷するか否かを設定できる。また、４つのレイヤーＣ１、Ｃ２、Ｃ３ａ、Ｃ４は、全てのレイヤーが不透明で、かつ全てのレイヤーが同一サイズの画像を含み、完全に重なるように構成されている。
【００２８】
そのため、このＰＤＦファイルを印刷する際、例えば、レイヤーＣ１の印刷設定が「印刷する」になっていれば、レイヤーＣ２、Ｃ３ａ、Ｃ４の印刷設定がどのようになっていても、元画像Ｄ１が印刷される。また、レイヤーＣ１の印刷設定が「印刷しない」になっていて、かつレイヤーＣ２の印刷設定が「印刷する」になっていれば、レイヤーＣ３ａ、Ｃ４の印刷設定がどのようになっていても、地色除去画像Ｄ２が印刷される。また、レイヤーＣ１、Ｃ２の印刷設定が「印刷しない」になっていて、かつレイヤーＣ３の印刷設定が「印刷する」になっていれば、レイヤーＣ４の印刷設定がどのようになっていても、カラードロップ画像Ｄ３ａが印刷される。さらに、レイヤーＣ１、Ｃ２、Ｃ３の印刷設定が「印刷しない」になっていて、かつレイヤーＣ４の印刷設定が「印刷する」になっていれば、トーン調整画像Ｄ４が印刷される。
【００２９】
つまり、４つのレイヤーＣ１、Ｃ２、Ｃ３ａ、Ｃ４がレイヤー毎に印刷するか否かを設定可能な場合、その設定の組み合わせとしては、２の４乗通り（すなわち、１６通り。）の組み合わせがあるものの、印刷可能な画像としては４通りの画像しかない。そこで、後述する印刷処理では、ユーザーが上記１６通りの組み合わせの中から印刷設定を選択しなくても、上記印刷可能な４通りの画像に対応するレイヤーの組み合わせを、ユーザーが簡単に選択できるようにする。
【００３０】
４つのレイヤーＣ１、Ｃ２、Ｃ３ａ、Ｃ４に対しては、それぞれにレイヤー名を付与することができる。本実施形態の場合、各レイヤーには、各レイヤーに格納された画像に対して施された画像処理の種別を識別可能なレイヤー名が付与される。具体的には、レイヤーＣ１のレイヤー名は「元画像」とされ、レイヤーＣ２のレイヤー名は「地色除去」とされ、レイヤーＣ３のレイヤー名は「カラードロップ」とされ、レイヤーＣ４のレイヤー名は「トーン調整」とされる。これらのレイヤー名は、後述する印刷処理で利用される。
【００３１】
上述のようなレイヤー付きＰＤＦファイルの作成及び印刷に関する第２の例を、図３に示す。図３に示す第２の例は、以下の点で図２に示す第１の例とは相違する。図２に示す第１の例の場合、元画像Ｂ１、地色除去画像Ｂ２、カラードロップ画像Ｂ３ａ及びトーン調整画像Ｂ４は、同一サイズの画像とされていた。これに対し、図３に示す第２の例の場合、元画像Ｂ１、地色除去画像Ｂ２及びトーン調整画像Ｂ４は、同一サイズの画像とされているが、カラードロップ画像Ｂ３ｂのサイズが、他の３つの画像Ｂ１、Ｂ２、Ｂ４とは相違している。
【００３２】
そのため、図３に示す第２の例では、レイヤーＣ１、Ｃ２の印刷設定が「印刷しない」になっていて、かつレイヤーＣ３の印刷設定が「印刷する」になっている場合、レイヤーＣ４の印刷設定がどのようになっているかにより、異なる画像が印刷される。具体的には、レイヤーＣ４の印刷設定が「印刷しない」になっている場合は、カラードロップ画像Ｄ３ｂが印刷される。一方、レイヤーＣ４の印刷設定が「印刷する」になっている場合は、カラードロップ画像Ｄ３ｂからはみ出す位置にトーン調整画像Ｄ４の一部が描かれた複合画像Ｄ５が印刷される。
【００３３】
［印刷処理］
次に、複合機１において実行される印刷処理について、図４及び図５に基づいて説明する。この印刷処理は、複合機１と通信可能な各種機器（例えば、ＰＣ２１、ＵＳＢメモリ３１、モバイル端末４１等。）から複合機１へＰＤＦファイルが伝送される際に実行される。
【００３４】
印刷処理を開始すると、複合機１は、図４に示すように、各種機器から送信されるファイルを受信する（Ｓ１１０）。続いて、複合機１は、Ｓ１１０で受信したファイルが複数のレイヤーを含むか否かを判断する（Ｓ１２０）。Ｓ１２０において、複合機１は、ＰＤＦファイルが「Optional Content」に準拠したデータを含むか否かを判断する。Ｓ１１０で受信したファイルが複数のレイヤーを含む場合（Ｓ１２０：ＹＥＳ）、複合機１は、レイヤー名を取得する（Ｓ１３０）。Ｓ１３０で取得されるレイヤー名は、図２に示す例であれば、「元画像」、「地色除去」、「カラードロップ」、「トーン調整」となる。
【００３５】
続いて、複合機１は、レイヤー選択項目生成処理を実行する（Ｓ１４０）。レイヤー選択項目生成処理の詳細を図５に示す。レイヤー選択項目生成処理を開始すると、複合機１は、図５に示すように、次のレイヤーを注目レイヤーとする（Ｓ２１０）。Ｓ２１０の初回実行時は、最上層レイヤーが次のレイヤーに該当し、Ｓ２１０の２回目以降の実行時は、前回の注目レイヤーよりも１つ下層のレイヤーが次のレイヤーに該当する。
【００３６】
Ｓ２１０で注目レイヤーが決まったら、複合機１は、注目レイヤーと下層レイヤーの矩形比較を実行する（Ｓ２２０）。Ｓ２２０では、注目レイヤー及び下層レイヤーに含まれる矩形の画像領域のサイズと位置が比較される。続いて、複合機１は、Ｓ２２０での比較の結果、下層レイヤーの画像領域が注目レイヤーの画像領域からはみ出るか否かを判断する（Ｓ２３０）。
【００３７】
Ｓ２３０において、下層レイヤーの画像領域が注目レイヤーの画像領域からはみ出ないと判断された場合（Ｓ２３０：ＮＯ）、複合機１は、注目レイヤーを選択項目として登録する（Ｓ２４０）。Ｓ２４０では、注目レイヤーに対応するデータ（例えばレイヤー名等。）が、選択項目のリストに追加される。続いて、複合機１は、全レイヤーの判定を完了したか否かを判断する（Ｓ２５０）。Ｓ２５０では、最下層レイヤーが注目レイヤーとして処理済みとなれば、全レイヤーの判定を完了したと判断される。
【００３８】
Ｓ２５０において、全レイヤーの判定を完了していないと判断された場合は（Ｓ２５０：ＮＯ）、Ｓ２１０へと戻る。これにより、Ｓ２１０では次のレイヤーが注目レイヤーとされて、以降、Ｓ２１０−Ｓ２５０が繰り返されることになる。Ｓ２１０−Ｓ２５０の繰り返し処理において、Ｓ２３０で肯定判断がなされるたびに、Ｓ２４０において注目レイヤーに対応するデータが選択項目のリストに追加されることになる。一方、Ｓ２５０において、全レイヤーの判定を完了したと判断された場合は（Ｓ２５０：ＹＥＳ）、選択項目が確定したことになり（Ｓ２６０）、図５に示すレイヤー選択項目生成処理を終了する。
【００３９】
なお、Ｓ２１０−Ｓ２５０の繰り返し処理において、Ｓ２３０で下層レイヤーの画像領域が注目レイヤーの画像領域からはみ出ると判断された場合（Ｓ２３０：ＹＥＳ）、複合機１は、選択項目なしとして（Ｓ２７０）、図５に示すレイヤー選択項目生成処理を終了する。Ｓ２７０では、選択項目のリストが破棄される。Ｓ２３０で１回以上の否定判断がなされている場合、Ｓ２４０では注目レイヤーに対応するデータが選択項目のリストに追加されるが、その場合でも、Ｓ２３０で肯定判断がなされれば、Ｓ２７０で選択項目のリストが破棄される。
【００４０】
図５に示すレイヤー選択項目生成処理を終了した場合、図４においてＳ１５０へと進み、複合機１は、表示部１３において選択項目のパネル表示を実行し（Ｓ１５０）、操作部１２においてユーザー設定の入力操作を受け付ける状態になる。Ｓ１５０において、複合機１は、図７（Ａ）に示すような詳細設定画面を表示部１３に表示する。詳細設定画面には、印刷される画像のプレビューと複数のボタン（タッチ可能な領域を示す画像。以下、単にボタンと称する。）が表示される。
【００４１】
複数のボタンの中には「機能選択」ボタンが含まれる。「機能選択」ボタン上には、デフォルトの選択肢を示す「元画像」との表示が出る。この状態で、ユーザーが「機能選択」ボタンにタッチして、そのタッチ操作が操作部１２よって検出されると、複合機１は、図７（Ｂ）に示すような機能選択画面を表示部１３に表示する。機能選択画面には、印刷される画像のプレビューと複数のボタンが表示される。
【００４２】
機能選択画面で表示される複数のボタンには、Ｓ２６０で確定した選択項目が表示される。より具体的には、機能選択画面には、「元画像」ボタン、「地色除去」ボタン、「カラードロップ」ボタン及び「トーン調整」ボタンが表示される。これら４つのボタンに表示されている文字列は、Ｓ２４０で選択項目のリストに追加された注目レイヤーのレイヤー名に対応する。この状態で、ユーザーが「元画像」ボタン、「地色除去」ボタン、「カラードロップ」ボタン及び「トーン調整」ボタンのうちのいずれかにタッチして、そのタッチ操作が操作部１２よって検出されると、複合機１は、ボタンに対応したレイヤーを選択するユーザー設定がなされたものと認識する。
【００４３】
なお、第１実施形態においては、図２に示す第１の例のようなファイルであれば、Ｓ２６０が実行されるので、機能選択画面には、「元画像」ボタン、「地色除去」ボタン、「カラードロップ」ボタン及び「トーン調整」ボタンが表示される。一方、図３に示す第２の例のようなファイルであれば、Ｓ２７０が実行されるので、印刷対象のレイヤーは元画像Ｂ１のレイヤーＣ１のみとなる。
【００４４】
そのため、Ｓ１５０において、図７（Ａ）に示すような詳細設定画面が表示部１３に表示されたとしても、「機能選択」ボタンは表示されないか無効化（例えばグレーアウト。）される。あるいは、「機能選択」ボタンが有効化されている場合でも、図７（Ｂ）に示す機能選択画面へ移行した際には、「元画像」ボタンだけが表示され、「地色除去」ボタン、「カラードロップ」ボタン及び「トーン調整」ボタンは表示されない。
【００４５】
Ｓ１６０において、ユーザーが図示しない設定完了ボタン又は印刷開始ボタン等にタッチすると、Ｓ１７０へと進む。その場合、複合機１は、Ｓ１６０でのユーザー設定に従ってレイヤーを選択し、印刷画像を生成する（Ｓ１７０）。例えば、Ｓ１５０において、機能選択画面で「トーン調整」ボタンがタッチされていれば、「トーン調整」ボタンに対応するトーン調整画像Ｄ４が生成される。そして、複合機１は、Ｓ１７０において生成した画像を印刷し（Ｓ１８０）、図４に示す印刷処理を終了する。
【００４６】
［効果］
以上のように構成された複合機１によれば、注目レイヤーを可視化した場合に構成される第１の画像と、注目レイヤー及び下層レイヤーを可視化した場合に構成される第２の画像との間に差分が生じない場合には、ユーザーが選択可能なレイヤーの組み合わせに関する選択肢が、第１の画像に対応する選択肢に決定されて、その選択肢に対応する印刷項目（本実施形態では、「元画像」ボタン、「地色除去」ボタン、「カラードロップ」ボタン及び「トーン調整」ボタン。）が表示部１３に表示される。
【００４７】
したがって、複数のレイヤーのそれぞれにおいて印刷する／しないの選択肢を選択し得るにもかかわらず、それらの選択肢の組み合わせによっては同一の画像が印刷されてしまうプリンタとは異なり、ユーザーが操作部で選択し得る印刷項目の数を削減でき（第１実施形態の場合は１６通りの組み合わせを４通りに削減。）、ユーザーの選択操作における利便性を高めることができる。
【００４８】
また、上記複合機１の場合、表示部１３は、元画像である旨を示す印刷項目（すなわち、「元画像」ボタン。）、及び画像処理の内容を示す印刷項目（すなわち、「地色除去」ボタン、「カラードロップ」ボタン及び「トーン調整」ボタン。）を表示する。したがって、ユーザーが画像処理の有無及び画像処理の内容が異なる複数の画像の中から、所望の画像を容易に選択することができる。
【００４９】
なお、第１実施形態においては、Ｓ２２０−Ｓ２３０を実行する制御部１１又はＣＰＵ１１１が本開示でいう判断部に相当する。また、Ｓ２４０，Ｓ２６０を実行する制御部１１又はＣＰＵ１１１が本開示でいう決定部に相当する。
【００５０】
（２）第２実施形態
次に、第２実施形態について説明する。なお、第２実施形態以降の実施形態は、第１実施形態の一部を変更した実施形態なので、第１実施形態との相違点を中心に詳述し、共通部分に関しては、その詳細な説明を省略する。第２実施形態は、第１実施形態におけるレイヤー選択項目生成処理（図５参照。）を、図６に示すレイヤー選択項目生成処理に変更した実施形態である。
【００５１】
複合機１は、図４に示す印刷処理においてＳ１４０へと進んだ場合、第２実施形態では図６に示すレイヤー選択項目生成処理を実行する。レイヤー選択項目生成処理を開始すると、複合機１は、図６に示すように、Ｓ２１０−Ｓ２３０を実行する。Ｓ２１０−Ｓ２３０は、第１実施形態と同様の処理ステップである。
【００５２】
Ｓ２３０において、下層レイヤーの画像領域が注目レイヤーの画像領域からはみ出ると判断された場合（Ｓ２３０：ＹＥＳ）、複合機１は、注目レイヤーとはみ出るレイヤーの組み合わせで選択項目として登録する（Ｓ２４２）。Ｓ２４２では、注目レイヤーとはみ出るレイヤーの組み合わせに対応するデータ（例えば２つのレイヤーの組み合わせに対応する名称等。）が、選択項目のリストに追加される。Ｓ２４２を終えたらＳ２４４へ進む。一方、Ｓ２３０において、下層レイヤーの画像領域が注目レイヤーの画像領域からはみ出ないと判断された場合は（Ｓ２３０：ＮＯ）、Ｓ２４２を実行することなく、Ｓ２４４へ進む。
【００５３】
Ｓ２３０又はＳ２４２のいずれかからＳ２４４へ進むと、注目レイヤーのみを表示した場合を選択項目として登録する（Ｓ２４２）。Ｓ２４２では、注目レイヤーのみを表示した場合に対応するデータ（例えば注目レイヤーに対応するレイヤー名等。）が、選択項目のリストに追加される。続いて、複合機１は、全レイヤーの判定を完了したか否かを判断する（Ｓ２５０）。Ｓ２５０において、全レイヤーの判定を完了していないと判断された場合は（Ｓ２５０：ＮＯ）、Ｓ２１０へと戻る。一方、Ｓ２５０において、全レイヤーの判定を完了したと判断された場合は（Ｓ２５０：ＹＥＳ）、選択項目が確定したことになり（Ｓ２６０）、図５に示すレイヤー選択項目生成処理を終了する。Ｓ２５０−Ｓ２６０は、第１実施形態と同様の処理ステップである。
【００５４】
図５に示すレイヤー選択項目生成処理を終了した場合、図４においてＳ１５０へと進み、複合機１は、表示部１３において選択項目のパネル表示を実行し（Ｓ１５０）、操作部１２においてユーザー設定の入力操作を受け付ける状態になる。Ｓ１５０において、複合機１は、第１実施形態同様、図７（Ａ）に示すような詳細設定画面を表示部１３に表示する。この状態で、ユーザーが「機能選択」ボタンにタッチして、そのタッチ操作が操作部１２よって検出されると、複合機１は、第１実施形態とは異なり、図７（Ｃ）に示すような機能選択画面を表示部１３に表示する。
【００５５】
図７（Ｃ）に示す機能選択画面で表示される複数のボタンには、Ｓ２６０で確定した選択項目が表示される。より具体的には、機能選択画面には、「元画像」ボタン、「地色除去」ボタン、「カラードロップ」ボタン、「トーン調整」及び「トーン調整／カラードロップ」ボタンが表示される。これら５つのボタンに表示されている文字列は、Ｓ２４２及びＳ２４４で選択項目のリストに追加された「注目レイヤーのレイヤー名」及び「２つのレイヤーの組み合わせに対応する名称」に対応する。
【００５６】
第２実施形態では、「トーン調整／カラードロップ」ボタンが表示される点で、第１実施形態とは相違する。Ｓ１５０において、機能選択画面で「トーン調整／カラードロップ」ボタンがタッチされている場合、Ｓ１７０では「トーン調整／カラードロップ」ボタンに対応する複合画像Ｄ５が生成される。そして、複合機１は、Ｓ１７０において生成した画像を印刷し（Ｓ１８０）、図４に示す印刷処理を終了する。
【００５７】
すなわち、第１実施形態では、図３に示す第２の例のようなファイルが印刷対象となった場合には、Ｓ２７０を実行することにより、複数のレイヤーを備えていても、機能選択画面での選択項目の表示対象としては扱わない。これに対し、第２実施形態では、図３に示す第２の例のようなファイルが印刷対象となった場合には、Ｓ２４２を実行することにより、複合画像Ｄ５に対応するレイヤーの組み合わせについても、機能選択画面での選択項目の表示対象として扱う。
【００５８】
［効果］
以上のように構成された第２実施形態の複合機１によれば、第１実施形態で説明した通りの作用・効果を奏する。しかも、第２実施形態の複合機１の場合、上述のような複合画像Ｄ５であっても、ユーザーは機能選択画面で容易に選択操作を実施することができる。
【００５９】
（３）第３実施形態
第３実施形態では、レイヤー付きＰＤＦファイルの例として、図８に示す第３の例を想定する。複合機１は、原稿Ａ１１を読取部１５によって読み取り、元画像Ｂ１１を取得する。また、複合機１は、原稿Ａ１１から元画像Ｂ１１を読み取る際、制御部１１において元画像Ｂ１に対する画像処理を施す。図８に示す例では、グレー画像Ｂ１２、モノクロ画像Ｂ１３、セピア画像Ｂ１４、以上３種の画像を例示してある。グレー画像Ｂ１２は、元画像Ｂ１１をグレースケール変換した画像である。モノクロ画像Ｂ１３は、元画像Ｂ１１を二値化した画像である。セピア画像Ｂ１４は元画像Ｂ１をセピア調に変換した画像である。
【００６０】
第３実施形態の複合機１は、ファイル内のレイヤーＣ１２に格納されたグレー画像Ｂ１２に基づいてグレー画像Ｄ１２を印刷可能である。ただし、仮にグレー画像Ｂ１２がファイルに含まれていなくても、元画像Ｂ１１がファイルに含まれていれば、印刷時に元画像Ｂ１１に画像処理を施してグレー画像Ｄ１２を印刷する機能を有する。また、第３実施形態の複合機１は、ファイル内のレイヤーＣ１３に格納されたモノクロ画像Ｂ１３に基づいてモノクロ画像Ｄ１３を印刷可能である。ただし、仮にモノクロ画像Ｂ１３がファイルに含まれていなくても、元画像Ｂ１１がファイルに含まれていれば、印刷時に元画像Ｂ１１に画像処理を施してモノクロ画像Ｄ１３を印刷する機能を有する。なお、第３実施形態の複合機１であっても、印刷時の画像処理によってセピア画像Ｄ１４を印刷する機能は備えていない。
【００６１】
このような場合に、第３実施形態の複合機１は、印刷時に自らの機能で元画像に対して施すことが可能な画像処理については、ファイルに格納された画像処理済みの画像を利用しないように構成されている。具体的には、図５のＳ２４０又は図６のＳ２４４において、複合機１が印刷時に実施可能な画像処理の名称と注目レイヤーのレイヤー名とを比較し、両者が一致する場合には、その注目レイヤーを選択項目として登録しないようにする。
【００６２】
これにより、図４のＳ１５０で選択項目のパネル表示を実行した際、図７（Ａ）に示す詳細設定画面でユーザーが「機能選択」ボタンにタッチすると、複合機１は、図９（Ａ）に示すような機能選択画面を表示部１３に表示する。そのため、図９（Ａ）に示す機能選択画面には、「グレー」ボタン及び「モノクロ」ボタンは表示されず、ユーザーは機能選択画面での選択操作ができなくなる。
【００６３】
なお、第３実施形態の複合機１において、グレー画像Ｄ１２又はモノクロ画像Ｄ１３を印刷したい場合は、図７（Ａ）に示す詳細設定画面でユーザーが「カラー設定」ボタンにタッチする。これにより、表示部１３には、図９（Ｂ）に示すカラー設定画面が表示される。このカラー設定画面には、「カラー」ボタン、「グレー」ボタン及び「モノクロ」ボタンが表示されるので、ユーザーが「グレー」ボタンにタッチして、カラー設定をグレーに変更すれば、Ｓ１７０で印刷画像を生成する際に、印刷画像に対してグレースケール変換が施され、Ｓ１８０においてグレー画像Ｄ１２が印刷されることになる。
【００６４】
［効果］
以上のように構成された第３実施形態の複合機１によれば、第１実施形態で説明した通りの作用・効果を奏する。しかも、第３実施形態の複合機１の場合、複合機１の印刷時画像処理機能の処理項目（上述の例ではカラー設定の選択肢である「グレー」及び「モノクロ」。）に対応する画像処理と、ファイルから選択される印刷項目（上述の例ではファイルに含まれるレイヤー名である「グレー」及び「モノクロ」。）に対応する画像処理とが重複する場合には、印刷項目が表示されない。
【００６５】
したがって、ファイルに格納された画像処理済みの処理画像を利用可能な場合であっても、複合機１が備える画像処理機能を使って画像処理を実行することができる。これにより、複合機１が備える画像処理機能を使って画像処理を実行する方が、ファイルに格納された処理画像を使う場合よりも高画質になる場合には、より高画質な画像を印刷することができる。
【００６６】
なお、複合機１での印刷時に、Ｓ１７０において画像処理を実行する制御部１１又はＣＰＵ１１１が本開示でいう画像処理部に相当する。
（４）第４実施形態
第４実施形態は、第３実施形態とは逆に、複合機１が備える画像処理機能を使って画像処理を実行することができる場合であっても、ファイルに格納された画像処理済みの処理画像を利用可能な場合には、ファイルに格納された画像処理済みの処理画像を利用する例である。レイヤー付きＰＤＦファイルの例として、図８に示す第３の例を想定する。
【００６７】
第４実施形態の複合機１は、印刷時に自らの機能で元画像に対して施すことが可能な画像処理であっても、ファイルに格納された画像処理済みの画像が存在する場合には、ファイル内の画像を利用するように構成されている。具体的には、図５のＳ２４０又は図６のＳ２４４においては、第１実施形態又は第２実施形態と同様の処理を実行する。
【００６８】
これにより、図４のＳ１５０で選択項目のパネル表示を実行した際、図７（Ａ）に示す詳細設定画面でユーザーが「機能選択」ボタンにタッチすると、複合機１は、図１０（Ａ）に示すような機能選択画面を表示部１３に表示する。そのため、図１０（Ａ）に示す機能選択画面には、「元画像」ボタン、「グレー」ボタン、「モノクロ」ボタン及び「セピア」ボタンが表示され、ユーザーはこれらの画像処理が施された画像を印刷するための操作を機能選択画面で実施することができる。
【００６９】
一方、第４実施形態の複合機１において、図７（Ａ）に示す詳細設定画面でユーザーが「カラー設定」ボタンにタッチすると、表示部１３には、図１０（Ｂ）に示すカラー設定画面が表示される。このカラー設定画面を表示する際、複合機１は、複合機１が印刷時に実施可能な画像処理の名称と選択項目のリストに登録されたレイヤー名とを比較し、両者が一致する場合には、その名称の画像処理に対応するボタンを、カラー設定画面に表示しないようにする。したがって、ユーザーは、複合機１が備えるグレースケール印刷機能とモノクロ印刷機能をカラー設定画面では選択できない状態になり、これらの機能を使った印刷を実施することができなくなる。
【００７０】
［効果］
以上のように構成された第４実施形態の複合機１によれば、第１実施形態で説明した通りの作用・効果を奏する。しかも、第４実施形態の複合機１の場合、複合機１の印刷時画像処理機能の処理項目（上述の例ではカラー設定の選択肢である「グレー」及び「モノクロ」。）に対応する画像処理と、ファイルから選択される印刷項目（上述の例ではファイルに含まれるレイヤー名である「グレー」及び「モノクロ」。）に対応する画像処理とが重複する場合には、処理項目が表示されない。
【００７１】
したがって、ファイルに格納された処理画像を利用可能な場合には、複合機１の画像処理機能を使わないようにすることができる。これにより、複合機１にかかる処理負荷を軽減することができる。また、複合機１での画像処理に要する処理時間をなくして、その分だけ印刷に要する時間を削減することができる。
【００７２】
なお、複合機１での印刷時に、Ｓ１７０において画像処理を実行する制御部１１又はＣＰＵ１１１が本開示でいう画像処理部に相当する。
（５）第５実施形態
第３実施形態及び第４実施形態では、機能選択画面とカラー設定画面を別画面としてあったが、これらを１画面に統合してもよい。例えば、図１０（Ｃ）に示すカラー設定／機能選択画面のように、１画面に「カラー」ボタン、「グレー」ボタン、「モノクロ」ボタン及び「セピア」ボタンの表示を統合する。
【００７３】
複合機１の内部処理で第３実施形態と同様の処理を実行する場合、印刷時に自らの機能で元画像に対して施すことが可能な画像処理（第３実施形態と同様の場合は「グレー」及び「モノクロ」。）については、当該画像処理がカラー設定／機能選択画面で選択されても、ファイルに格納された画像処理済みの画像を利用しないように構成する。
【００７４】
一方、複合機１の内部処理で第４実施形態と同様の処理を実行する場合、印刷時に自らの機能で元画像に対して施すことが可能な画像処理（第４実施形態と同様の場合は「グレー」及び「モノクロ」。）がカラー設定／機能選択画面で選択されたとしても、ファイルに格納された画像処理済みの処理画像を利用可能な場合には、ファイルに格納された処理画像を利用するように構成する。
【００７５】
以上のような構成にすれば、ファイルに格納された画像処理済みの画像を利用するのか否かをユーザーに意識させることなく、ユーザーが所期の画像処理を１画面内で選択可能なユーザーインターフェースを提供することができる。
【００７６】
（６）他の実施形態
以上、本開示のプリンタについて、例示的な実施形態を挙げて説明したが、上述の実施形態は本開示の一態様として例示されるものにすぎない。すなわち、本開示は、上述の例示的な実施形態に限定されるものではなく、本開示の技術的思想を逸脱しない範囲内において、様々な形態で実施することができる。
【００７７】
例えば、上記実施形態では、画像処理が施された画像の例として、地色除去画像、カラードロップ画像、トーン調整画像、グレー画像、モノクロ画像及びセピア画像等を例示したが、これら以外の画像処理が施された画像を処理対象としてもよい。
【００７８】
また、上記実施形態では、複数のレイヤーそれぞれに格納される複数の画像が、元画像と元画像に対して画像処理が施された処理画像を含む複数の画像とされている例を示したが、複数のレイヤーそれぞれに格納される複数の画像は、互いに関連性のない画像であってもよい。このような場合でも、レイヤー毎の可視化設定の組み合わせについて、選択肢を削減し、ユーザーの利便性を高めることができる。
【００７９】
また、上記実施形態では、本開示のプリンタの一例として複合機１を例示したが、本開示のプリンタは、スキャナ機能等を備えていない単機能のプリンタとして構成されていてもよい。この場合、上述の複合機１とは異なり、単機能のプリンタには、上述のレイヤー付きＰＤＦファイルを作成するための機能（画像読取機能、画像処理機能及びファイル作成機能。）は設けられない。ただし、このような単機能のプリンタであっても、上述の複合機１や、レイヤー付きＰＤＦファイルを作成するための機能を備えたイメージスキャナ装置と組み合わせることで、上述の実施形態で説明した通りの機能を実現することができる。
【００８０】
また、上記実施形態では、印刷対象となるファイルとして、レイヤー付きＰＤＦファイルを例示したが、複数のレイヤーで画像を管理可能なデータ構造を有するファイルであれば、ファイル形式はＰＤＦ以外の形式であってもよい。
【００８１】
なお、上述した複合機１の他、複合機１を構成要素とするシステム、複合機１における印刷処理をコンピュータに実行させるためのプログラム、このプログラムを記録した記録媒体など、種々の形態で本開示を実現することもできる。
【００８２】
以上の他、上記各実施形態における一つの構成要素によって実現していた機能を、複数の構成要素によって実現するように構成してもよい。また、複数の構成要素によって実現していた機能を一つの構成要素によって実現するように構成してもよい。また、上記各実施形態の構成の一部を省略してもよい。また、上記各実施形態の構成の少なくとも一部を、他の上記実施形態の構成に対して付加、置換等してもよい。
【００８３】
（７）補足
なお、以上説明した例示的な実施形態から明らかなように、本開示のプリンタは、更に以下に挙げるような構成を備えていてもよい。
【００８４】
本開示の一態様では、決定部は、判断部によって第１の画像と第２の画像との間に差分が生じると判断された場合には、ユーザーが選択可能なレイヤーの組み合わせに関する選択肢を、第１の画像に対応する選択肢及び第２の画像に対応する選択肢に決定するように構成されていてもよい。
【００８５】
このように構成されたプリンタによれば、第１の画像と第２の画像との間に差分が生じた場合には、ユーザーが選択可能なレイヤーの組み合わせに関する選択肢が、第１の画像に対応する選択肢及び第２の画像に対応する選択肢に決定されて、当該選択肢に対応する印刷項目が表示部に表示される。したがって、第１の画像及び第２の画像を双方とも選択肢として挙げたい場合には、このような構成を採用するとよい。
【００８６】
本開示の一態様では、複数のレイヤーには、元画像が描かれた元画像レイヤー、及び当該元画像に対して画像処理が施されてなる処理画像が描かれた処理画像レイヤーが含まれていてもよい。表示部は、元画像である旨を示す印刷項目、及び画像処理の内容を示す印刷項目を表示するように構成されていてもよい。
【００８７】
このように構成されたプリンタによれば、元画像である旨を示す印刷項目、及び画像処理の内容を示す印刷項目が表示部に表示されるので、ユーザーが所望の画像を容易に選択することができる。
【００８８】
本開示の一態様では、印刷部において画像を印刷する前に、当該画像に対して画像処理を施す画像処理部を備えてもよい。表示部は、画像処理部において実行可能な画像処理の内容を示す処理項目を表示可能に構成され、処理項目に対応する画像処理と印刷項目に対応する画像処理とが重複する場合には、処理項目を表示しないように構成されていてもよい。
【００８９】
このように構成されたプリンタによれば、処理項目に対応する画像処理と印刷項目に対応する画像処理とが重複する場合には、処理項目が表示されない。したがって、ファイルに格納された処理画像を利用可能な場合には、画像処理部を使わないようにすることができる。これにより、プリンタにかかる処理負荷を軽減することができる。また、プリンタでの画像処理に要する処理時間をなくして、その分だけ印刷に要する時間を削減することができる。
【００９０】
本開示の一態様では、印刷部において画像を印刷する前に、当該画像に対して画像処理を施す画像処理部を備えてもよい。表示部は、画像処理部において実行可能な画像処理の内容を示す処理項目を表示可能に構成され、処理項目に対応する画像処理と印刷項目に対応する画像処理とが重複する場合には、印刷項目を表示しないように構成されていてもよい。
【００９１】
このように構成されたプリンタによれば、処理項目に対応する画像処理と印刷項目に対応する画像処理とが重複する場合には、印刷項目が表示されない。したがって、ファイルに格納された処理画像を利用可能な場合であっても、プリンタの画像処理部を使って画像処理を実行することができる。これにより、プリンタの画像処理部を使って画像処理を実行する方が、ファイルに格納された処理画像を使う場合よりも高画質になる場合には、より高画質な画像を印刷することができる。
【符号の説明】
【００９２】
１…複合機、１１…制御部、１１１…ＣＰＵ、１１２…ＲＯＭ、１１３…ＲＡＭ、１１４…ＮＶＲＡＭ、１２…操作部、１３…表示部、１４…印刷部、１５…読取部、１６…有線ＬＡＮ  Ｉ／Ｆ部、１７…ＵＳＢ  Ｉ／Ｆ部、１８…無線ＬＡＮ  Ｉ／Ｆ部、２１…ＰＣ、３１…ＵＳＢメモリ、４１…モバイル端末。
【図１】
2020104417.tif 000003
【図２】
2020104417.tif 000004
【図３】
2020104417.tif 000005
【図４】
2020104417.tif 000006
【図５】
2020104417.tif 000007
【図６】
2020104417.tif 000008
【図７】
2020104417.tif 000009
【図８】
2020104417.tif 000010
【図９】
2020104417.tif 000011
【図１０】
2020104417.tif 000012